(57)【要約】【課題】  複数の測定機能を持つ眼科装置において、モード切り換えのために測定ユニットが上下動しても、モニタの位置の変動を抑制し、前眼部の観察を好適に行う。【解決手段】  第１測定部と第２測定部とを有し，第１及び第２測定部が上下に配置された測定ユニットと、前記測定ユニットを上下動させる上下駆動手段と、測定ユニットに設けられ被検眼の前眼部を撮像する前眼部撮像手段と、測定ユニットの検者側に取り付けられ，前記前眼部撮像手段によって撮影された被検眼前眼部像を表示する表示モニタと、第１測定部を使用する第１測定モードにおけるモニタの表示位置に対して，第２測定部を使用する第２測定モードにおけるモニタの表示位置を略同じ位置とするために、上下駆動手段による測定モードの切り換え時の前記測定ユニットの上下駆動に対応してモニタを移動させモニタの位置を補正する手段と、を備える。【選択図】      図１
2008272259.tif 000002
【特許請求の範囲】
【請求項１】
被検眼の第１の眼特性を測定するための測定光学系を持つ第１測定部と，被検眼の第２の眼特性を測定するための測定光学系を持つ第２測定部とを有し，被検眼に対する前記第１測定部の測定光軸と第２測定部の測定光軸とが異なる高さとなるように前記第１及び第２測定部が配置された測定ユニットと、
前記第１及び第２測定部の測定光軸を被検眼に対して各々位置合わせして被検眼を測定するために前記測定ユニットを上下動させる上下駆動手段と、
前記測定ユニットに設けられ被検眼の前眼部を撮像する前眼部撮像手段と、
前記測定ユニットの検者側に取り付けられ，前記前眼部撮像手段によって撮影された被検眼前眼部像を表示する表示モニタと、
第１測定部を使用する第１測定モードにおける前記表示モニタの表示位置に対して，第２測定部を使用する第２測定モードにおける前記表示モニタの表示位置を略同じ位置とするために、前記上下駆動手段による測定モードの切り換え時の前記測定ユニットの上下駆動に対応して前記表示モニタを移動させ前記表示モニタの位置を補正するモニタ位置補正手段と、を備えることを特徴とする眼科装置。
【請求項２】
請求項１の眼科装置において、
前記モニタ位置補正手段は、前記測定ユニットに対して前記表示モニタを電動で移動させるための駆動部と、
前記測定ユニットに対する前記表示モニタの位置を検出するモニタ位置検出手段と、
前記モニタ位置検出手段からの検出信号に基づいて前記表示モニタが所定の位置に移動されるように前記駆動部を駆動制御する制御手段と、を備えることを特徴とする眼科装置。
【請求項３】
請求項２の眼科装置において、前記測定ユニットに対して前記表示モニタの位置を調整するために検者によって操作されるモニタ位置調整用スイッチと、
前記モニタ位置調整用スイッチからの操作信号に基づいて移動された前記表示モニタの位置情報をモニタ位置検出手段からの検出信号に基づいて記憶する記憶手段と、を備え、
前記制御手段は、前記記憶手段によって記憶された前記表示モニタの位置情報に基づいて前記駆動部を駆動制御することを特徴とする眼科装置。
【請求項４】
請求項１の眼科装置において、前記モニタ位置補正手段は、前記表示モニタを移動させ前記測定ユニットに対する表示モニタの角度もしくは高さを調整する調整機構を備えることを特徴とする眼科装置。
【発明の詳細な説明】
【技術分野】
【０００１】
本発明は、複数の眼特性を測定する眼科装置に関する。
【背景技術】
【０００２】
被検眼の眼圧を測定する眼圧測定部と被検眼の眼屈折力を測定する眼屈折力測定部を上下に積層配置し、高さ方向に異なる測定光軸を備えた測定ユニットを備え、上下駆動部の駆動により測定ユニットを上下方向に移動させることにより一方の測定光軸を被検眼に合わせて測定を行う複合型の眼科装置が開示されている（特許文献１参照）。そして、特許文献１の装置には、被検眼と装置とのアライメントに利用される前眼部観察用表示モニタが搭載されている。
【０００３】
また、近年の表示モニタの薄型化に伴い、測定ユニットの検者側筐体部に表示面の向きを変更可能とする前眼部観察用表示モニタを取り付けたものが知られている（特許文献２参照）。この場合、検者は、首を曲げることなく楽な姿勢で表示モニタを観察することが可能である。
【特許文献１】特開平１−２６５９３７号公報
【特許文献２】特開２００６−５５４３９号公報
【発明の開示】
【発明が解決しようとする課題】
【０００４】
ところで、複数の測定部が上下に積層配置された測定ユニットの検者側筐体部に表示モニタを取り付ける場合、測定モード切換のために（例えば、眼屈折力測定モードから眼圧測定モードへの移行）に測定ユニットが上下に駆動するとそれに伴う表示モニタの位置が変ってしまう。そのため、測定モード移行後において、検者にとって、モニタを見ながらの被検眼観察がしづらいといった問題が生じ得る。
【０００５】
本発明は、上記問題点を鑑み、複数の測定機能が用意された測定ユニットを有する複合型の眼科装置において、測定モード切り換えのために測定ユニットが上下動しても、表示モニタの表示位置の変動を抑制し、被検眼前眼部の観察を好適に行うことができる眼科装置を提供することを技術課題とする。
【課題を解決するための手段】
【０００６】
上記課題を解決するために、本発明は以下のような構成を備えることを特徴とする。
【０００７】
（１）  被検眼の第１の眼特性を測定するための測定光学系を持つ第１測定部と，被検眼の第２の眼特性を測定するための測定光学系を持つ第２測定部とを有し，被検眼に対する前記第１測定部の測定光軸と第２測定部の測定光軸とが異なる高さとなるように前記第１及び第２測定部が配置された測定ユニットと、
前記第１及び第２測定部の測定光軸を被検眼に対して各々位置合わせして被検眼を測定するために前記測定ユニットを上下動させる上下駆動手段と、
前記測定ユニットに設けられ被検眼の前眼部を撮像する前眼部撮像手段と、
前記測定ユニットの検者側に取り付けられ，前記前眼部撮像手段によって撮影された被検眼前眼部像を表示する表示モニタと、
第１測定部を使用する第１測定モードにおける前記表示モニタの表示位置に対して，第２測定部を使用する第２測定モードにおける前記表示モニタの表示位置を略同じ位置とするために、前記上下駆動手段による測定モードの切り換え時の前記測定ユニットの上下駆動に対応して前記表示モニタを移動させ前記表示モニタの位置を補正するモニタ位置補正手段と、を備えることを特徴とする。
（２）  （１）の眼科装置において、
前記モニタ位置補正手段は、前記測定ユニットに対して前記表示モニタを電動で移動させるための駆動部と、
前記測定ユニットに対する前記表示モニタの位置を検出するモニタ位置検出手段と、
前記モニタ位置検出手段からの検出信号に基づいて前記表示モニタが所定の位置に移動されるように前記駆動部を駆動制御する制御手段と、を備えることを特徴とする。
（３）  （２）の眼科装置において、前記測定ユニットに対して前記表示モニタの位置を調整するために検者によって操作されるモニタ位置調整用スイッチと、前記モニタ位置調整用スイッチからの操作信号に基づいて移動された前記表示モニタの位置情報をモニタ位置検出手段からの検出信号に基づいて記憶する記憶手段と、を備え、前記制御手段は、前記記憶手段によって記憶された前記表示モニタの位置情報に基づいて前記駆動部を駆動制御することを特徴とする。
（４）  （１）の眼科装置において、前記モニタ位置補正手段は、前記表示モニタを移動させ前記測定ユニットに対する表示モニタの角度もしくは高さを調整する調整機構を備えることを特徴とする。
【発明の効果】
【０００８】
本発明によれば、複数の測定機能が用意された測定ユニットを有する複合型の眼科装置において、測定モード切り換えのために測定ユニットが上下動しても、表示モニタの表示位置の変動を抑制し、被検眼前眼部の観察を好適に行うことができる。
【発明を実施するための最良の形態】
【０００９】
本発明の一実施形態について図面に基づいて説明する。なお、本実施形態では、眼圧、眼屈折力及び角膜形状を測定する眼科装置を例として説明する。図１は、本実施形態に係る眼科装置の外観構成図である。図１（ａ）は、眼屈折力、角膜形状測定時の状態を表すものであり、図１（ｂ）は、眼圧測定時の状態を表すものである。
【００１０】
眼科装置は、基台１と、基台１に取り付けられた顔支持ユニット２と、基台１上に移動可能に設けられた移動台３と、移動台３に移動可能に設けられた測定ユニット４を備える。測定ユニット４は、被検眼Ｅの眼屈折力及び角膜形状の眼特性（第１の眼特性）を測定するための眼屈折力・角膜形状測定部４ａ（以下、レフ・ケラト測定部と記す）と、レフ・ケラト測定部４ａの上に位置するように積層配置され、非接触で被検眼Ｅの眼圧（第２の眼特性）を測定するための眼圧測定部４ｂとを持つ。このとき、測定ユニット４には、被検眼に対するレフ・ケラト測定部４ａの測定光軸Ｌａと眼圧測定部４ｂの測定光軸Ｌｂとが異なる高さとなるようにレフ・ケラト測定部４ａと眼圧測定部４ｂが配置され、測定光軸Ｌａと測定光軸Ｌｂを被検眼に対して各々位置合わせして被検眼を測定することにより第１及び第２の眼特性を測定することが可能である。
【００１１】
測定ユニット４は、移動台３に設けられたＹ駆動部６（上下動ユニット）により、被検眼に対して上下方向（図１に示すＹ方向）に移動される。また、Ｙ駆動部６は、レフ・ケラト測定部４ａや眼圧測定部４ｂの測定光軸を被検眼と略同じ高さになるように測定ユニット４を被検眼に対して上下方向に移動させるために用いられる。
【００１２】
また、測定ユニット４は、Ｙ駆動部６の上に設けられたＸＺ駆動部７により、被検眼Ｅに対して左右方向（Ｘ方向）、前後（作動距離）方向（Ｚ方向）に移動される。これにより、測定ユニット４は、３次元方向に移動可能となる。
【００１３】
また、眼圧測定部４ｂは、駆動部８の駆動によりレフ・ケラト測定部４ａに対してＺ方向に移動可能に配置されており、眼圧測定モードの際には眼圧測定部４ｂを被検眼Ｅに近づく方向に移動させ、レフ・ケラト測定モードの際には眼圧測定部４ｂを被検眼Ｅから遠ざかる方向に移動させるために用いられる。
【００１４】
移動台３は、ジョイスティック５の操作により、基台１上をＸ方向及びＺ方向に移動される。また、検者が回転ノブ５ａを回転操作することにより、測定ユニット４はＹ駆動部６のＹ駆動によりＹ方向に移動される。ジョイスティック５の頂部には、測定開始スイッチ５ｂが設けられている。
【００１５】
４０は被検眼の観察画像や測定結果等を表示する表示モニタであり、１００は測定ユニット４に対する表示モニタ４０の上下方向における位置（高さ）を調整するための表示モニタ移動機構である。ここで、表示モニタ４０は、モニタ移動機構１００を介して測定ユニット４の筐体の検者側側面に取り付けられているとともに、図示無き回転軸によって俯仰角を変更することができるようになっている。
【００１６】
より具体的には、移動機構１００には、測定ユニット４に固定される上下方向駆動用のモータ１０１、モータ１０１の回転軸に連結されると共に上下方向に延びるネジ軸１０２、ネジ軸１０２の先端部に連結されると共に測定ユニット４に固定される固定部１０３、が設けられている。また、表示モニタ４０には、表示画面を有する表示部４１（例えば、液晶ディスプレイ）、ネジ軸１０２の雄ねじ部と螺合される雌ねじ部が形成され表示部４１に連結される連結部４２、が設けられている。ここで、モータ１０１が回転駆動されると、ネジ軸１０２が回転され、連結部４２を介して表示部４１を含む表示モニタ４０が測定ユニット４に対して上下に移動される。この場合、モータ１０１は、測定ユニット４に対して表示モニタ４０を電動で移動させるための駆動部として用いられる。
【００１７】
なお、移動機構１００には、測定ユニット４に対する表示モニタ４０の上下位置を検出するための上下位置検出部１０４（図２参照）が設けられている。上下位置検出部１０４としては、例えば、モニタ４０の上下位置が所定位置（例えば、測定開始時の初期位置や下限位置など）にあるかを検知するフォトセンサ１０５、１０６をネジ軸１０２付近に設けると共に、連結部４２の一部に遮光版１０７を設けておく。この場合、フォトセンサ１０５の配置位置はレフ・ケラト測定モードにおけるモニタ４０の上下位置、フォトセンサ１０６の配置位置は眼圧測定モードにおけるモニタ４０の上下位置に対応するように配置されており、これらのフォトセンサが遮光板１０７を検知するときの検知信号に基づいて各測定モードにおけるモニタ４０の上下位置の調整が可能である。
【００１８】
なお、上記構成に限るものではなく、モータ１０１として回転数の検出が可能なエンコーダ付モータなどを用い、フォトセンサによって遮光板が検知される所定位置を表示モニタ４０の上下位置を求める際の基準とし、所定位置からのモータ１０２の回転数を計測することにより、表示モニタ４０の上下方向の位置を求めるようにしてもよい。
図２は、レフ・ケラト測定部４ａと眼圧測定部４ｂの光学系及び制御系の構成について説明するための図である。まず、レフ・ケラト測定部４ａの光学系について説明する。１０は被検眼Ｅの眼屈折力を測定するための眼屈折力測定光学系であり、被検眼眼底に測定指標を投影する投影光学系と、その反射光を受光する受光光学系とからなる。
【００１９】
測定光学系１０に用いられる測定光束を透過するダイクロイックミラー２９は、固視標呈示光学系３０からの固視標光束を眼Ｅに導き、被検眼Ｅの前眼部からの反射光を観察光学系５０に導く。なお、固視標呈示光学系３０の光路には、固視光源３１から順に、固視標３２、投光レンズ３３、全反射ミラー３４、対物レンズ３６、ダイクロイックミラー２９が配置されており、これらは被検眼に固視標３２を呈示する役割を有する。この場合、光源３１及び固視標板３２が、光軸方向に移動されることにより、被検眼Ｅの雲霧が行われる。
【００２０】
眼Ｅの前眼部の前方には、眼Ｅの角膜Ｅｃにリング指標を投影するための近赤外光を発するリング指標投影光学系４５が設けられている。なお、リング投影光学系４５は、被検眼の角膜形状測定用のリング状指標を投影する投影光学系として用いられる他、眼Ｅの前眼部を照明する前眼部照明としても用いられる。
【００２１】
被検眼の前眼部を撮影するための光学系としての観察光学系５０は、固視標呈示光学系３０の対物レンズ３６及びダイクロイックミラー２９が共用され、可視光透過・赤外光反射のダイクロイックミラー３５と、ダイクロイックミラー３５の反射方向に配置された，撮像レンズ５１及び二次元撮像素子５２とを備える。撮像素子５２からの出力は、制御部２０に入力される。これにより、被検眼Ｅの前眼部像は、ダイクロイックミラー２９、対物レンズ３６、ダイクロイックミラー３５、撮像レンズ５１を介して、二次元撮像素子５２により撮像され、モニタ４０上に表示される。
【００２２】
次に、眼圧測定部４ｂの空気（流体）吹付機構を図２に基づいて説明する。空気（流体）吹付機構は、シリンダ６１、ピストン６２を持ち、図示なきロータリソレノイドの駆動力によってシリンダ６１内をピストン６２が圧縮方向に移動されることによりノズル６３を介して被検眼Ｅの角膜Ｅｃに向けて噴射される。６６はシリンダ６１内の圧力を検出する圧力センサである。圧力センサ６６からの検出信号は、制御部２０に入力され、眼圧値の算出に利用される。
【００２３】
７０は前眼部照明用の赤外光源であり、ノズル６３の軸線と一致する光軸Ｌｂを中心に４個配置されている。６４は透明なガラス板であり、ノズル６を保持するとともに、観察光やアライメント光を透過させる。６５はノズル６の背面に設けられた透明なガラス板であり、空気圧縮室の後壁を構成するとともに、観察光やアライメント光を透過させる。ガラス板６５の背後には、対物レンズ７２、二次元受光素子７５を持ち被検眼の前眼部を撮像する前眼部観察光学系７６が設けられている。この場合、光源７０による被検眼Ｅの前眼部像は、ガラス板６５、対物レンズ７２を介して、二次元受光素子７５により撮像され、制御部２０へ入力されたのちに表示モニタ４０上に表示される。
【００２４】
なお、ガラス板６５の背後に形成される光路には、前述の前眼部観察光学系７６の他、ハーフミラー等を介してアライメント指標投影光学系、固視灯投影光学系等が配置されるが、本発明とは関連が少ないため、説明は省略する。なお、眼圧測定部４ｂを使用する場合（眼圧測定時）は、レフ・ケラト測定部４ａの最前面に対して眼圧測定４ｂに設けられたノズル６３が被検眼Ｅ側にせり出した状態にて使用される。
【００２５】
９０は角膜圧平検出用の赤外ＬＥＤであり、ＬＥＤ９０を出射した光はコリメ−タレンズ９１により平行光束とされて被検眼の角膜に投光される。角膜で反射した光は受光レンズ９２、ピンホ−ル板９５を通過して光検出器９６に受光される。角膜圧平検出用の光学系は、被検眼が所定の圧平状態のときに光検出器７６の受光量が最大となるように配置されている。ここで、光検出器９６からの検出信号は、制御部２０へと入力され、眼圧値の算出に用いられる。
【００２６】
なお、図２においては、説明の便宜上、これら角膜変形検出光学系を上下に配置しているように図示したが、本来は被検眼に対して左右方向に配置されているものである。
【００２７】
次に、制御系の構成について説明する。装置全体の制御や測定値の算出等を行う制御部２０は、レフ・ケラト測定部４ａや眼圧測定部４ｂに備わる各部材の他、表示モニタ４０、Ｙ駆動部６、ＸＺ駆動部７、駆動部８、測定結果等を記憶するメモリ２１、回転ノブ５ａ、測定開始スイッチ５ｂ、モータ１０１、フォトセンサ１０５、フォトセンサ１０６、及び測定モード選択スイッチ２４ａ等の各種スイッチ群が配置されたスイッチ部２４などが接続されている。３００は移動台３が所定の後方位置まで移動したことを検知する図示無き検知部（例えば、マイクロスイッチ）であり、測定モードの切換時に用いられる（詳しくは、特開２００４−３１３７５８号公報参照）。
【００２８】
以上のような構成を備える眼科装置において、その動作について説明する。本実施形態では、レフ・ケラト測定を行った後、眼圧を測定する場合について説明する。
【００２９】
この場合、眼光学特性測定モードとしてレフ・ケラト測定が初めに行われるが、制御部２０は、Ｙ駆動部６を駆動させることによりレフ・ケラト測定部４ａの測定光軸Ｌａと被検眼Ｅがほぼ同じ高さになるようにしておく（ラフで構わない）。この場合、制御部２０は、顔支持ユニット２に形成される図示なきアイレベル確認ラインと測定光軸Ｌａが略同じ高さになるように測定ユニット４の高さ位置を調整する。また、制御部２０は、駆動部８を駆動させることにより、ノズル６３を測定ユニット４の筐体内に退避させておく。これにより、レフ・ケラト測定が可能な装置形態となる（図１（ａ）参照）。また、表示モニタ４０を上下方向に回動させて俯仰角を変更し、見やすいように調節しておく。
【００３０】
また、制御部２０は、モータ１０１を駆動させ、表示モニタ４０の画面中央部と測定光軸Ｌａの高さがほぼ同じ高さになるようにしておく。より具体的には、制御部２０は、予めレフ・ケラト測定モード用に位置調整されたフォトセンサ１０５によって遮光板１０７が検出されると、モータ１０１の駆動を停止させる。この場合、初期位置をメモリ２１に予め記憶させておき、記憶されたモニタ４０の上下位置情報に基づいて高さ調整を行うようにしてもよい。
【００３１】
以下の説明では、レフ・ケラト測定において、初めに右眼の測定を行い、右眼の測定が完了後、左眼の測定に移行する。まず、被検眼Ｅの右眼ＥＲに対するレフ・ケラト測定部４ａのＸ，Ｙ及びＺ方向のアライメントを行う。ここで、検者はモニタ４０を観察しながらジョイスティック５及び回転ノブ５ａを操作し、ラフなアライメントを行う。すると、二次元撮像素子５２に撮像された被検眼像Ｆ１がモニタ４０に表示されるようになり、やがて、リング指標投影光学系４５によるリング指標Ｒが撮像される状態となる。（図２参照）。なお、ＬＴは、手動アライメント時におけるアライメント基準となるレチクルである。
【００３２】
ここで、レチクルＬＴとリング指標Ｒが同心円上となるようにアライメント調整され、検者から測定開始スイッチ５ｂが押され、測定が開始される。
【００３３】
ここで、制御部２０は、測定開始信号の入力に基づき撮像素子５２にて撮像されたリング指標像Ｒの形状に基づいて眼Ｅの角膜形状を測定する。次に、制御部２０は、測定光学系１０を用いて被検眼の眼屈折力を測定する。この場合、前述の固視標投影光学系３０によって被検眼Ｅに対して雲霧がかけられる。
【００３４】
右眼の測定が完了すると、表示モニタ４０の画面上にＦＩＮＩＳＨの文字が表示されるので、検者は、これに基づいて左眼の測定に移行する。検者は、ジョイスティック４の操作により基台１に対して移動台３を右方向に移動させ、右眼と同様に、左眼の角膜形状及び眼屈折力の測定を行う。そして、制御部２０は、所定の測定終了条件が満たされると、左眼の測定を完了とする。
【００３５】
測定完了信号が発せられると、制御部２０は、移動台３を後方へ移動する旨のメッセージをモニタ４０に表示する。この表示に従って検者がジョイスティック５を操作して移動台３を後方に移動させると、移動台３が所定の後方位置まで移動したことを検知する検知部３００の検知信号により、レフ・ケラト測定モードから眼圧測定モードへの切り換えが許可され、制御部２０によってモード切換信号が発せられる。
【００３６】
ここで、眼圧測定モードへの切換信号が発せられると、制御部２０は、レフ・ケラト測定終了後の測定ユニット４の高さ位置に対して測定光軸Ｌａと測定光軸Ｌｂの光軸間距離分測定ユニット４を下方向に移動させるようにＹ駆動部６を駆動させる。
【００３７】
また、制御部２０は、レフ・ケラト測定モードにおける表示モニタ４０の表示位置に対して，眼圧測定モードにおける表示モニタ４０の表示位置を略同じ位置とするために、Ｙ駆動部６による測定モードの切り換え時の測定ユニット４の上下駆動に対応して表示モニタ４０を移動させ表示モニタ４０の位置を補正する。
【００３８】
より具体的には、制御部２０は、モータ１０１を駆動させてモニタ４０を上方向に移動させていき、予め眼圧測定モード用に位置調整されたフォトセンサ１０６によって遮光板１０７が検出されると、モータ１０１の駆動を停止させる。すなわち、制御部２０は、上下位置検出部１０４からの検出信号に基づいて表示モニタ４０が所定の位置に移動されるようにモータ１０１を駆動制御する。これにより、表示モニタ４０の画面中央部（レチクルＬＴ付近）と測定光軸Ｌｂの高さがほぼ同じ高さになるようにモニタ４０の上下位置が調整される。また、眼圧測定モードへの切換信号が入力されると、制御部２０は、前述の測定モード切り換えに基づくＹ駆動部６の駆動制御時において、切り換え後の測定モードに用いる測定部（第２測定部４ｂ）にて得られる撮影画像を前眼部観察像として表示モニタ４０に表示する。
【００３９】
また、制御部２０は、駆動部８を駆動させることにより眼圧測定部４ｂを被検眼Ｅへ近づく方向に移動させていき、ノズル６３の先端をレフ・ケラト測定部４ａの筐体前面より被検者側に位置させる（せり出す）。
【００４０】
以下に、眼圧測定モードへ移行した後（眼圧測定可能な装置形態に移行した後）の動作について説明する。
【００４１】
ここで、検者は、モニタ４０を観察しながらジョイスティック５を操作し、被検眼Ｅの左眼ＥＬに対する眼圧測定部４ｂのＸ、Ｙ、Ｚ方向のアライメントを行う。そして、アライメントが完了されると、検者は測定開始スイッチ５ｂを押してトリガ信号を入力し、図示なきロータリソレノイドを駆動させる。ロータリソレノイドの駆動によりピストン６２が移動されると、シリンダ６１内の空気が圧縮され、圧縮空気がノズル６３から角膜Ｅｃに向けて吹き付けられる。角膜Ｅｃは、圧縮空気の吹き付けにより徐々に変形し、扁平状態に達したときに光検出器９６に最大光量が入射される。制御部２０は、圧力センサ６６からの出力信号と光検出器９６からの出力信号とに基づき眼圧値を求める。そして、測定結果を表示モニタ４０に表示する。ここで、所定の測定終了条件が満たされると、左眼の測定を完了とする。左眼の測定が完了したら、検者は、右眼の測定に移行し、同様に測定を行う。
【００４２】
以上のようにすれば、測定モードに切り換えによって測定ユニット４が上下方向に移動されても、表示モニタ４０の高さを一定に保つことができるので、検者は、測定モードに関係なく同じ姿勢で被検眼前眼部の観察を行うことが可能となる。また、本実施形態では、表示モニタ４０の画面中央部（レチクルＬＴ付近）と，眼特性の測定に用いられる測定光軸（光軸Ｌａまたは光軸Ｌｂ）との高さが同じになるように表示モニタ４０の位置が調整されることにより、検者は、測定モードに関係なく、被検眼の高さを容易に認識できる。
【００４３】
なお、上記説明において、制御部２０は、測定モード切換時の測定ユニット４の上下動に対応してモータ１０１を駆動させ表示モニタ４０の位置を補正したが、モード切換後の被検眼に対するアライメント調整時における測定ユニット４の上下動の際にはモニタ４０の位置補正を行わないものとした。これにより、被検眼に対するアライメントの際に測定ユニット４に対してモニタ４０が過度に移動されることがないし、測定光軸とモニタとの位置関係も維持されるため、被検眼観察がしやすい。
【００４４】
また、上記説明においては、レフ・ケラト測定モードから眼圧測定モードに移行するときの表示モニタ４０の上下動について説明したが、反対に、眼圧測定モードからレフ・ケラト測定モードに移行する場合、制御部２０は、測定モードの切換に応じて、モータ１０１を駆動させモニタ４０を下方向に移動させ、表示モニタ４０の画面中央部と測定光軸Ｌａの高さがほぼ同じ高さになるようにしておく。
【００４５】
また、上記構成において、測定ユニット４に対してモニタ４０の上下位置を調整するために検者によって操作されるモニタ位置調整用スイッチをスイッチ部２４に設け、検者が任意にモニタ４０の位置調整を行うことができるようにしてもよい。この場合、例えば、制御部２０は、位置調整用スイッチからの操作信号に基づいてモータ１０１を駆動させる。そして、測定モード切換信号が発せられると、制御部２０は、測定光軸Ｌａと測定光軸Ｌｂとの上下方向の光軸間距離分モニタ４０を上下動させる。なお、上記の場合、位置調整用スイッチからの操作信号に基づいて移動された表示モニタ４０の位置情報を上下位置検出部１０４からの検出信号に基づいて測定モードに対応させてメモリ２１に記憶させておき、電源投入後の初期設定において、メモリ２１に予め記憶されたモニタ４０の位置情報に基づいて表示モニタ４０の上下位置へ表示モニタ４０を移動させるようにしてもよい。なお、初期設定時の測定モードと、表示モニタ４０の上下位置を記憶させたときの測定モードが異なる場合、記憶された上下位置に対して所定量（例えば、光軸間距離分）移動させるような補正がなされる。
【００４６】
なお、以上の説明においては、測定ユニット４に対して表示モニタ４０を上下方向に移動させるような構成としたが、これに限るものではなく、測定モードの切換の際の測定ユニット４の上下動に伴う表示モニタ４０の位置変化を補正するべく測定ユニット４に対して表示モニタの位置を調整するための移動機構であればよい。例えば、図３及び図４に示すように、測定ユニット４に対する表示モニタ４０の角度を調整するための回転移動機構２００を設けるようにしてもよい。なお、図３において、図１と同じ番号を付したものについては、特段の説明が無い限り、同様の構成を有するものとする。
【００４７】
より具体的には、回転移動機構２００には、図４に示すように、測定ユニット４に固定される固定部２０１ａ及び２０１ｂ、固定部２０１ａに固定され水平方向に延びる回転軸を有する回転駆動用のモータ２０２、固定部２０１ｂに形成された穴に挿通されモータ２０２の回転軸と同軸上に配置される回動軸２０３、が設けられている。また、表示モニタ４０には、表示部４１、モータ２０２の回転軸に連結されると共に表示部４１に連結される連結部４３、回動軸２０３に連結されると共に表示部４１に連結される連結部４４、が設けられている。ここで、モータ２０２が回転駆動されると、モータ２０２の回転軸に連結される連結部４３が回転軸を中心に回転されるため、表示部４１を含む表示モニタ４０が測定ユニット４に対して回転移動される。この場合、モード切換に対応して表示モニタ４０を所定の角度位置に移動できるように、測定ユニット４に対する表示モニタ４０の角度位置を検出する位置検出部を設けておく。
【００４８】
なお、上記のような電動式の構成に限るものではなく、図５に示すように、機械式構成によるものであってもよい。２１０は斜め方向にカム溝２１０ａが形成されたカム溝アームであり、移動台３に固定されている。２１１はモニタ４０に連結される連結部であり、カム溝２１０ａに対して移動可能に配置されるローラ２１１ａを持つ。２１２は測定ユニット４と表示モニタ４０の上端とを回転可能に連結する回転連結部であり、水平方向に延びる回転軸２１２ａを持つ。この場合、測定ユニット４が上方向に移動されると、カム溝２１０ａに対してローラ２１０が斜め上方に移動され、モニタ４０が矢印Ｂ方向に回転移動される。また、測定ユニット４が下方向に移動されると、カム溝２１０ａに対してローラ２１０が斜め下方に移動され、モニタ４０が矢印Ａ方向に回転移動される。
【図面の簡単な説明】
【００４９】
【図１】本実施形態に係る眼科装置の外観構成図である。
【図２】レフ・ケラト測定部と眼圧測定部の光学系及び制御系の構成について説明するための図である。
【図３】測定ユニットに対する表示モニタの角度を調整するための回転移動機構について説明する側方概略図である。
【図４】測定ユニットに対する表示モニタの角度を調整するための回転移動機構について説明する上方概略図である。
【図５】機械的に表示モニタの位置を調整する構成について説明する側方概略図である。
【符号の説明】
【００５０】
４  測定ユニット
４ａ  レフ・ケラト測定部
４ｂ  眼圧測定部
６  Ｙ駆動部
２０  制御部
２１  メモリ
４０  表示モニタ
４１  表示部
５０  レフ・ケラト測定部に設けられた前眼部観察光学系
７６  眼圧測定部に設けられた前眼部観察光学系
１００  表示モニタ移動機構
１０１  モータ
１０４  上下位置検出部
２００  回転移動機構
２０２  モータ
Ｌａ  レフ・ケラト測定部の測定光軸
Ｌｂ  眼圧測定部の測定光軸
【図１】
2008272259.tif 000003
【図２】
2008272259.tif 000004
【図３】
2008272259.tif 000005
【図４】
2008272259.tif 000006
【図５】
2008272259.tif 000007